(57)【要約】【課題】不使用時における保管場所を別途確保しておく必要がなく、取扱い性に優れたスロープ装置を提供する。【解決手段】高位側床面ｆ１　に形成された凹陥溝３に、後縁を支点として起伏可能に設けられ、かつ高位側床面ｆ１　と略面一となる伏臥状態で凹陥溝３を覆う蓋板６と、該蓋板６の前縁に回動可能に枢結されて、蓋板６の下面側に回動させて折り畳んだ状態で凹陥溝６内に収納される収納位置と、蓋板６の前縁から下方傾斜した状態で低位側床面ｆ２　に差し渡される展開位置とに変換されるスロープ板１１Ａとを備えてなるスロープ装置１Ａを構成した。これにより、不使用時にはスロープ板１１Ａを折り畳んで凹陥溝３内に収納しておくことができる一方、使用時にはスロープ板１１Ａを展開させて蓋板６の前縁から低位側床面ｆ２　に差し渡すことにより、スロープ板１１Ａを低位側床面ｆ２　と高位側床面ｆ１　との間に傾斜状態で配設することができる。【選択図】　図４
2004076299.tif 000002
【特許請求の範囲】
【請求項１】
段差を有する床面の、その高位側床面に形成された凹陥溝に、後縁を支点として起伏可能に設けられ、かつ高位側床面と略面一となる伏臥状態で凹陥溝を覆う蓋板と、
該蓋板の前縁に回動可能に枢結されて、蓋板の下面側に回動させて折り畳んだ状態で凹陥溝内に収納される収納位置と、蓋板の前縁から下方傾斜した状態で低位側床面に差し渡される展開位置とに変換されるスロープ板と
を備えてなることを特徴とするスロープ装置。
【請求項２】
高位側床面に埋設され、その内面を凹陥溝とする矩形状の受枠の、その後部内側縁に蓋板の後縁を枢結するとともに、該蓋板の前縁にスロープ板を枢結して、該スロープ板を、蓋板の下面側に回動させて折り畳んだ状態で凹陥溝内に収納される収納位置と、蓋板の前縁から下方傾斜した状態で低位側床面に差し渡される展開位置とに変換可能に設けたことを特徴とする請求項１に記載したスロープ装置。
【請求項３】
蓋板の下面側に回動させたスロープ板の、その回動位置を保持する保持手段を備えていることを特徴とする請求項１又は請求項２に記載したスロープ装置。
【請求項４】
保持手段が、スロープ板の下面と蓋板の下面の、その何れか一方に配設される磁石と、他方に配設されて該磁石に吸着される磁性体とによって構成されていることを特徴とする請求項３に記載したスロープ装置。
【請求項５】
段差を有する床面の、その高位側床面に形成された凹陥溝の前縁に回動可能に枢結されて、高位側床面と略面一となる状態で凹陥溝内に収納される収納位置と、凹陥溝の前縁から下方傾斜した状態で低位側床面に差し渡される展開位置とに変換されるスロープ板を備えてなることを特徴とするスロープ装置。
【請求項６】
高位側床面に埋設され、その内面を凹陥溝とする矩形状の受枠の、その前縁にスロープ板を回動可能に枢結して、該スロープ板を、高位側床面と略面一となる状態で凹陥溝内に収納される収納位置と、受枠の前縁から下方傾斜した状態で低位側床面に差し渡される展開位置とに変換可能に設けたことを特徴とする請求項５に記載したスロープ装置。
【請求項７】
少なくとも凹陥溝の後縁と、収納位置で該後縁に対向するスロープ板の先端部に、緩勾配で上方傾斜する傾斜面を形成したことを特徴とする請求項５又は請求項６に記載したスロープ装置。
【請求項８】
段差を有する床面の、その高位側床面に、上面が高位側床面と略面一となる状態で配設され、低位側床面に臨む引き出し口を前面に備えた収納筐体と、
該収納筐体内に進退可能に収納され、かつ引き出し口から引き出されて、収納筐体の上面前縁から下方傾斜した状態で低位側床面に差し渡されるスロープ板と、
該スロープ板の引き出し量を規定して脱落を防止する位置決め手段と
を備えてなることを特徴とするスロープ装置。
【請求項９】
スロープ板の下面に転動部材を配設するとともに、収納筐体内に該転動部材を前後方向に案内する案内路を設けたことを特徴とする請求項８に記載したスロープ装置。
【請求項１０】
位置決め手段が、案内路の前端近傍部に配設されて、転動部材に前側から当接するストッパー片であることを特徴とする請求項９に記載したスロープ装置。
【発明の詳細な説明】
【０００１】
【発明の属する技術分野】
本発明は、段差を有する床面に使用するスロープ装置に関する。
【０００２】
【従来の技術】
一般に、イベント会場や大型店舗の特設売り場、或いはその他の各種施設にあって、車椅子を必要とする障害者或いは小さい子供やお年寄りが多数来訪することが予想される場合には、図１２に示すように、段差ｈを有する床面ｆに、金属製又は樹脂製のスロープｃを随時設置することにより、通行に支障が生じないようにしている。
【０００３】
【発明が解決しようとする課題】
ところで、上記のように、床面ｆの段差ｈ部分にスロープｃを、必要に応じて随時設置して使用するような場合には、不使用時におけるスロープｃの保管場所を確保しておく必要がある上、使用時には保管場所から使用場所まで運搬し、使用後に再度元の場所に戻すという面倒な作業を行わなければならないため、取扱い性が悪いという問題点があった。
【０００４】
また、従来のスロープｃは、設置場所の段差ｈの高さに合わせて個々に製作されているため、製品としての汎用性がなく、受注生産品であるため、納品に時間が掛かり、価格も高いという問題点があった。
【０００５】
本発明は、かかる従来の問題点を解消し得るスロープ装置を提供することを目的とするものである。
【０００６】
【課題を解決するための手段】
請求項１にかかる第一の課題解決手段は、段差を有する床面の、その高位側床面に形成された凹陥溝に、後縁を支点として起伏可能に設けられ、かつ高位側床面と略面一となる伏臥状態で凹陥溝を覆う蓋板と、該蓋板の前縁に回動可能に枢結されて、蓋板の下面側に回動させて折り畳んだ状態で凹陥溝内に収納される収納位置と、蓋板の前縁から下方傾斜した状態で低位側床面に差し渡される展開位置とに変換されるスロープ板とを備えてなることを特徴とするスロープ装置である。
【０００７】
かかる構成にあって、スロープ板が、蓋板の下面側に折り畳まれた状態で凹陥溝内に収納される収納位置と、蓋板の前縁から下方傾斜した状態で低位側床面に差し渡される展開位置とに変換可能であるため、不使用時にはスロープ板を折り畳んで凹陥溝内に収納しておくことができる一方、使用時にはスロープ板を展開させて蓋板の前縁から低位側床面に差し渡すことにより、スロープ板を低位側床面と高位側床面との間に傾斜状態で配設することができる。これにより、従来のように不使用時における保管場所を別途確保しておく必要がなく、運搬作業も必要ないため、取扱い性に優れたものとなる。また、不使用時にはスロープ板を高位側側床面と略面一となる蓋板の下面に折り畳んだ状態で収納することができるので、高位側床面上の通行に支障が生じることがない。
【０００８】
また、スロープ板は、蓋板の前縁に回動可能に枢結されていることにより、傾斜角度が可変であるため、異なる高さの段差に対応可能な汎用性がある。これにより、標準品として受注前に大量生産することができるので価格の低廉化が可能であり、さらに受注時に在庫品を即座に納品し得るので、短期納品が可能となる。
【０００９】
また、前記構成にあって、高位側床面に埋設され、その内面を凹陥溝とする矩形状の受枠の、その後部内側縁に蓋板の後縁を枢結するとともに、該蓋板の前縁にスロープ板を枢結して、該スロープ板を、蓋板の下面側に回動させて折り畳んだ状態で凹陥溝内に収納される収納位置と、蓋板の前縁から下方傾斜した状態で低位側床面に差し渡される展開位置とに変換可能に設ける構成が提案される。かかる構成にあっては、受枠を高位側床面に埋設することにより、スロープ装置の設置作業が略完了するので施工を簡単に行うことができる。
【００１０】
さらに、前記構成にあって、蓋板の下面側に回動させたスロープ板の、その回動位置を保持する保持手段を備えてなる構成が提案される。このように、保持手段によって、蓋板の下面側に回動させたスロープ板を、その回動位置に保持させることにより、蓋板の前縁に回動可能に枢結されたスロープ板が、蓋板の起伏操作時に揺動しないため、蓋板の起伏操作を容易に行うことが可能となる。
【００１１】
また、上記保持手段としては、スロープ板の下面と蓋板の下面の、その何れか一方に配設される磁石と、他方に配設されて該磁石に吸着される磁性体とによって構成したものが提案される。このように、磁石の吸着作用を介してスロープ板を蓋板の下面に保持させることにより、その保持操作及び離脱操作をワンタッチで簡単に行うことができる。
【００１２】
請求項５にかかる第二の課題解決手段は、段差を有する床面の、その高位側床面に形成された凹陥溝の前縁に回動可能に枢結されて、高位側床面と略面一となる状態で凹陥溝内に収納される収納位置と、凹陥溝の前縁から下方傾斜した状態で低位側床面に差し渡される展開位置とに変換されるスロープ板を備えてなることを特徴とするスロープ装置である。
【００１３】
かかる構成にあって、スロープ板を凹陥溝の前縁の枢結部を支点として前後方向に回動させることにより、高位側床面の凹陥溝内に収納される収納位置と、凹陥溝の前縁から下方傾斜した状態で低位側床面に差し渡される展開位置とに変換可能であるため、不使用時にはスロープ板を凹陥溝内に収納しておくことができる一方、使用時にはスロープ板を展開させて凹陥溝の前縁から低位側床面に差し渡すことにより、スロープ板を低位側床面と高位側床面との間に傾斜状態で配設することができる。これにより、従来のように不使用時における保管場所を別途確保しておく必要がなく、運搬作業も必要ないため、取扱い性に優れたものとなる。また、不使用時にはスロープ板を高位側床面と略面一となる状態で凹陥溝内に収納することができるので、高位側床面の通行に支障が生じることがない。
【００１４】
また、スロープ板は、凹陥溝の前縁との枢結により、傾斜角度が可変であるため、異なる高さの段差に対応可能な汎用性がある。これにより、標準品として受注前に大量生産することができるので価格の低廉化が可能であり、さらに受注時に在庫品を即座に納品し得るので、短期納品が可能となる。
【００１５】
また、前記構成にあって、高位側床面に埋設され、その内面を凹陥溝とする矩形状の受枠の、その前縁にスロープ板を回動可能に枢結して、該スロープ板を、高位側床面と略面一となる状態で凹陥溝内に収納される収納位置と、受枠の前縁から下方傾斜した状態で低位側床面に差し渡される展開位置とに変換可能に設ける構成が提案される。かかる構成にあっては、受枠を高位側床面に埋設することにより、スロープ装置の設置作業が略完了するので施工を簡単に行うことができる。
【００１６】
さらに、前記構成にあって、少なくとも凹陥溝の後縁と、収納位置で該後縁に対向するスロープ板の先端部に、緩勾配で上方傾斜する傾斜面を形成する構成が提案される。これにより、所定の厚みを有するスロープ板を形成した場合に、スロープ板の先端部と凹陥溝の後縁とに生じる段差を解消することができる。
【００１７】
請求項８にかかる第三の課題解決手段は、段差を有する床面の、その高位側床面に、上面が高位側床面と略面一となる状態で配設され、低位側床面に臨む引き出し口を前面に備えた収納筐体と、該収納筐体内に進退可能に収納され、かつ引き出し口から引き出されて、収納筐体の上面前縁から下方傾斜した状態で低位側床面に差し渡されるスロープ板と、該スロープ板の引き出し量を規定して脱落を防止する位置決め手段とを備えてなることを特徴とするスロープ装置である。
【００１８】
かかる構成にあって、スロープ板は、不使用時には収納筐体内に収納しておくことができる一方、使用時にはスロープ板を引き出し口から引き出して、収納筐体の上面前縁から下方傾斜した状態で低位側床面に差し渡すことにより、低位側床面と高位側床面との間に傾斜状態で配設することができる。これにより、従来のように不使用時における保管場所を別途確保しておく必要がなく、運搬作業も必要ないため、取扱い性に優れたものとなる。また、スロープ板は、位置決め手段で引き出し量が規定されていることにより、引き出し口からの引き出し時に引き出し過ぎによる脱落を危惧する必要がない。さらに、不使用時にスロープ板を収納する収納筐体は、上面が高位側床面と略面一となる状態で配設されていることにより、高位側床面上の通行に支障が生じることがない。また、収納筐体を高位側床面に埋設することにより、スロープ装置の設置作業が略完了するので施工を簡単に行うことができる。
【００１９】
上記構成にあって、スロープ板の下面に転動部材を配設するとともに、収納筐体内に該転動部材を前後方向に案内する案内路を設ける構成が提案される。かかる構成にあっては、スロープ板の引き出し及び収納時に、案内路によって前後方向に案内される転動部材の転動作用を介して、スロープ板の進退時における摩擦抵抗を軽減し、小さい力で容易かつ正確にスロープ板の進退操作を行うことができる。
【００２０】
さらに、上記構成にあって、位置決め手段を、案内路の前端近傍部に配設されて、転動部材に前側から当接するストッパー片とする構成が提案される。かかる構成にあっては、スロープ板の引き出し時に、該スロープ板を転動部材がストッパー片に当接するまで引き出すことにより、その引き出し量が規定され、かつ転動部材の前側にストッパー片が当接することによって、スロープ板の脱落を防止することができる。
【００２１】
【発明の実施の形態】
以下に、本発明の実施例を添付図面に基づいて説明する。
図１〜図５は、第一実施例を示し、この実施例は、請求項１にかかるスロープ装置１Ａの一実施例を示すものである。
【００２２】
図１に示すスロープ装置１Ａの施工状態にあって、段差ｈを有する床面の高位側床面ｆ１　には、低位側床面ｆ２　に臨む前面が開放された平面視矩形状の受枠２Ａが埋設されており、該受枠２Ａの内面によって所定深さの凹陥溝３が構成されている。受枠２Ａの後部内側縁２ａには、横幅方向に延在させて支持基板４が固着されており、該支持基板４に複数のヒンジ５を介して蓋板６の後縁が回動可能に枢結されている。これによって、蓋板６が起伏可能に設けられている。該蓋板６は、伏臥状態で凹陥溝３を覆い得るように受枠２Ａと略同じ大きさに形成された矩形状の平板からなり、起伏操作を容易とするためにアルミニウムを素材に用いて軽量化が図られている。また、受枠２Ａの左右側縁には、図２に示すように、蓋受け縁７，７が内側方に夫々突成されており、該蓋受け縁７，７で前記蓋板６の左右側縁部を支承することにより、高位側床面ｆ１　と略面一となる伏臥状態で蓋板６が保持されるようになっている。また、蓋板６の下面側には、断面Ｌ形のアングル杆からなる複数の補強杆８が取り付けられており、該補強杆８によって蓋板６の剛性を高めるようにしている。さらに、蓋板６の前部上面には、図３に拡大して示すように、蓋板６の引き上げ操作時に用いる把手９が出没可能に設けられている。
【００２３】
蓋板６の前縁には、複数のヒンジ１０を介してスロープ板１１Ａの後縁が回動可能に枢結されており、該スロープ板１１Ａを、図１に示すように、蓋板６の下面側に回動させて折り畳んだ状態で凹陥溝３内に収納される収納位置と、図４に示すように、蓋板６の前縁から下方傾斜した状態で低位側床面ｆ２　に差し渡される展開位置とに変換できるようになっている。該スロープ板１１Ａは、図２に示すように、凹陥溝３内に収納し得るように、その横幅を前記蓋受け縁７，７の内端相互の間隔より若干狭く形成した矩形状の平板からなり、蓋板６の起伏操作及びスロープ板１１Ａ自体の回動操作を容易とするためにアルミニウムを素材に用いて軽量化が図られている。また、スロープ板１１Ａの下面側には、断面Ｌ形のアングル杆からなる複数の補強杆１２が取り付けられており、該補強杆１２によってスロープ板１１Ａの剛性を高めるようにしている。ここで、スロープ板１１Ａの後縁部の補強杆１２’と、蓋板６の前縁部の補強杆８’は、夫々横幅方向に延在させて一対を成すように配設されており、図３に拡大して示すように、該補強杆８’，１２’を前記ヒンジ１０の取付部としている。
【００２４】
また、蓋板６の後端部の下面には、横幅を二等分する位置等の所定位置に磁石１３が配設されており、スロープ板１１Ａの下面には該磁石１３に吸着可能な位置に磁性体１４が配設されている。そして、この磁石１３と磁性体１４とによって、図５に示すように、蓋板６の下面側に回動させて折り畳んだ状態のスロープ板１１Ａの、その回動位置を保持する保持手段が構成されている。
【００２５】
かかる構成にあって、図１に示すように、スロープ板１１Ａを蓋板６の下面側に回動させて折り畳んだ状態で、蓋板６を伏臥させることにより、スロープ板１１Ａを受枠２Ａの凹陥溝３内に収納することができる。この状態にあっては、蓋板６の表面が高位側床面ｆ１　と略面一となるため、高位側床面ｆ１　上の通行に支障が生じることがない。そして、この収納状態からスロープ板１１Ａを使用状態とする場合には、図３に鎖線で示すように、把手９を引き上げ、該把手９を用いて蓋板６の前部側を、図５に示すように、ヒンジ５を支点として上方に回動させるとともに、該蓋板６の下面側に折り畳まれているスロープ板１１Ａを、ヒンジ１０を支点として前方に回動させて、その回動状態を手で保持しながら蓋板６を伏臥状態となるまで降下させると、図４に示すように、スロープ板１１Ａを蓋板６の前縁から下方傾斜した状態で低位側床面ｆ２　に差し渡した展開位置に変換することができる。
【００２６】
一方、このような使用状態からスロープ板１１Ａを収納状態とする場合には、図４に示すように、スロープ板１１Ａが展開されている状態において、蓋板６をヒンジ５を支点として上方に回動させると、その回動操作に伴ってスロープ板１１Ａが蓋板６の下面側に引き寄せられ、該スロープ板１１Ａがヒンジ１０を支点として自重により垂下する状態となり、さらにスロープ板１１Ａを蓋板６の下面側に回動させて折り畳むと、蓋板６の下面の磁石１３に、スロープ板１１Ａの下面の磁性体１４が吸着されることとなる。これにより、図５に示すように、その回動位置が保持されてスロープ板１１Ａの揺動を防止することができる。そして、この状態で蓋板６を伏臥状態となるまで下方に回動させることにより、図１に示すように、スロープ板１１Ａを収納位置に簡単に戻すことができる。
【００２７】
これにより、従来のようにスロープｃ（図１２参照）の不使用時における保管場所を別途確保しておく必要がなく、運搬作業も必要ないため、取扱い性に優れたものとなる。また、スロープ板１１Ａは、蓋板６の前縁との枢結により、傾斜角度が可変であるため、異なる高さの段差ｈに対応可能な汎用性があり、標準品として受注前に大量生産することができるので価格の低廉化が可能であり、さらに受注時に在庫品を即座に納品し得るので、短期納品が可能となる。
【００２８】
尚、上記第一実施例では、内面を凹陥溝３とする矩形状の受枠２Ａの後部内側縁に固着した支持基板４にヒンジ５を介して蓋板６の後縁を枢結するようにしているが、このような矩形状の受枠２Ａを用いることなく、高位側床面ｆ１　に形成した凹陥溝３の後部に対して、後縁を支点として蓋板６を起伏可能となるように取り付けることも可能である。また、スロープ板１１Ａの保持手段を構成する磁石１３と磁性体１４は、その配設位置を逆にしてもよい。即ち、磁石１３をスロープ板１１Ａ側に配設し、磁性体１４を蓋板６側に配設することも可能である。
【００２９】
図６〜図８は、第二実施例を示し、この実施例は、請求項５にかかるスロープ装置１Ｂの一実施例を示すものである。
【００３０】
図６に示すスロープ装置１Ｂの施工状態にあって、段差ｈを有する床面の高位側床面ｆ１　に、平面視矩形状の受枠２Ｂが埋設されており、該受枠２Ｂの内面によって所定深さの凹陥溝３が構成されている。該受枠２Ｂの前縁には、複数のヒンジ１５を介してスロープ板１１Ｂの後縁が回動可能に枢結されており、該スロープ板１１Ｂを、図６に示すように、高位側床面ｆ１　と略面一となる状態で凹陥溝３内に収納される収納位置と、図８に示すように、受枠２Ｂの前縁から下方傾斜した状態で低位側床面ｆ２　に差し渡される展開位置とに変換できるようになっている。
【００３１】
スロープ板１１Ｂは、凹陥溝３の深さに対応する所定の厚みを備えた偏平な矩形筐体状に形成されており、回動操作を容易とするためにアルミニウムを素材に用いて軽量化が図られている。また、スロープ板１１Ｂの内部には、図７に示すように、複数のリブ板からなる補強杆１２が取り付けられており、該補強杆１２によってスロープ板１１Ｂの剛性を高めるようにしている。さらに、収納位置におけるスロープ板１１Ｂの前部上面には、スロープ板１１Ｂの引き上げ操作時に用いる把手９が出没可能に設けられている。
【００３２】
また、上記のように内面を凹陥溝３とする受枠２Ｂの後縁と、収納位置で該後縁に対向するスロープ板１１Ｂの先端部には、図６に示すように、緩勾配で上方傾斜する傾斜面１６，１７が形成されている。これによって、図８に示すように、厚みのあるスロープ板１１Ｂを展開位置に変換した場合に、受枠２Ｂの後縁とスロープ板１１Ｂの先端部とに夫々生じる段差を解消し得るようになっている。
【００３３】
かかる構成にあって、図６に示すように、スロープ板１１Ｂを受枠２Ｂの凹陥溝３内に収納した状態にあっては、該スロープ板１１Ｂの表面が高位側床面ｆ１　と略面一となるため、高位側床面ｆ１　上の通行に支障が生じることがない。そして、この収納状態からスロープ板１１Ｂを使用状態とする場合には、把手９を用いてスロープ板１１Ｂの前部側を引き上げるとともに、ヒンジ１５を支点として低位側床面ｆ２　側に回動させることにより、図８に示すように、スロープ板１１Ｂを、受枠２Ｂの前縁から下方傾斜させた状態で、低位側床面ｆ２　と高位側床面ｆ１　との間に差し渡すことができる。尚、この状態からスロープ板１１Ｂを、図６に示す収納位置に変換するには、ヒンジ１５を支点として高位側床面ｆ１　側にスロープ板１１Ｂを回動させればよい。
【００３４】
これにより、従来のようにスロープｃ（図１２参照）の不使用時における保管場所を別途確保しておく必要がなく、運搬作業も必要ないため、取扱い性に優れたものとなる。また、スロープ板１１Ｂは、受枠２Ｂの前縁との枢結により、傾斜角度が可変であるため、異なる高さの段差ｈに対応可能な汎用性があり、標準品として受注前に大量生産することができるので価格の低廉化が可能であり、さらに受注時に在庫品を即座に納品し得るので、短期納品が可能となる。
【００３５】
尚、上記第二実施例では、内面を凹陥溝３とする矩形状の受枠２Ｂの前縁に、スロープ板１１Ｂの後縁を枢結するようにしているが、このような矩形状の受枠２Ｂを用いることなく、高位側床面ｆ１　に形成した凹陥溝３の前縁に対して、スロープ板１１Ｂの後縁を枢結するようにしてもよい。また、実施例では、凹陥溝３の後縁と、収納位置で該後縁に対向するスロープ板１１Ｂの先端部のみに、緩勾配で上方傾斜する傾斜面１６，１７を形成した例を示したが、該傾斜面１６，１７は凹陥溝３とスロープ板１１Ｂの略全長に亘って形成してもよい。
【００３６】
図９〜図１１は、第三実施例を示し、この実施例は、請求項８にかかるスロープ装置１Ｃの一実施例を示すものである。
【００３７】
図９に示すスロープ装置１Ｃの施工状態にあって、段差ｈを有する床面の高位側床面ｆ１　には、低位側床面ｆ２　に臨む引き出し口１８を前面に備えた収納筐体１９が配設されている。該収納筐体１９は、底板２０と、該底板２０の周囲を囲繞する左右側板２１ａ，２１ａ及び後部側板２１ｂと、上部を遮蔽する天板２２とによって、内部を収納空隙２３とする偏平な矩形筐体状に形成されており、前記天板２２の上面が高位側床面ｆ１　と略面一となる状態で高位側床面ｆ１　内に埋設されている。また、該天板２２の前縁は底板２０の前縁よりも若干後方に位置しており、この天板２２の前縁の前方部分に前記引き出し口１８と連通する開口部２３が設けられている。
【００３８】
収納筐体１９内には、前後方向に延在する案内路２４，２４が左右両側に配設されている。該案内路２４，２４は、図１０に示すように、底板２０上に左右一対の立ち上がり壁２５，２５を対向配置することにより夫々構成されており、該案内路２４，２４によって後述する転動部材２６，２６を前後方向に案内し得るようになっている。また、該案内路２４，２４の前端近傍部には、転動部材２６，２６に前側から当接するストッパー片２７，２７が夫々配設されている。
【００３９】
収納筐体１９内には、スロープ板１１Ｃが前後方向に進退可能に収納されており、該スロープ板１１Ｃを、引き出し口１８から引き出して、図１１に示すように、収納筐体１９の上面前縁から下方傾斜した状態で低位側床面ｆ２　に差し渡すことができるようにしている。該スロープ板１１Ｃは、収納筐体１９内に収納し得るように、その横幅を収納空隙２３より若干狭く形成した矩形状の平板からなり、進退操作を容易とするためにアルミニウムを素材に用いて軽量化が図られている。また、スロープ板１１Ｃの下面側には、前部及び後部とその中間部分等の複数箇所に左右一対のキャスターからなる転動部材２６，２６が夫々配設されており、この内の後部に配設された転動部材２６，２６が、前記案内路２４，２４の各立ち上がり壁２５，２５間に夫々嵌挿されている。そして、この各転動部材２６，２６の転動作用によってスロープ板１１Ｃの進退時における摩擦抵抗を軽減し、該スロープ板１１Ｃの進退操作を小さい力で容易に行い得るようになっている。また、スロープ板１１Ｃを引き出すと、後部に配設された転動部材２６，２６が案内路２４，２４のストッパー片２７，２７に当接することにより、その引き出し量が規定され、かつそれ以上引き出されることによるスロープ板１１Ｃの脱落が防止されるようになっている。そして、このストッパー片２７，２７を、スロープ板１１Ｃの引き出し量を規定して脱落を防止する位置決め手段としている。
【００４０】
また、スロープ板１１Ｃの下面側には、断面Ｌ形のアングル杆からなる複数の補強杆１２が取り付けられており、該補強杆１２によってスロープ板１１Ｃの剛性を高めるようにしている。さらに、スロープ板１１Ｃの前部上面には、天板２２の前方の開口部２３に臨ませて、スロープ板１１Ｃの引き出し操作時に用いる把手９が起倒可能に設けられている。
【００４１】
かかる構成にあって、図９に示すように、スロープ板１１Ｃを収納筐体１９内に収納した状態にあっては、該収納筐体１９の上面が高位側床面ｆ１　と略面一となる状態で配設されていることにより、高位側床面ｆ１　上の通行に支障が生じることがない。そして、この収納状態からスロープ板１１Ｃを使用状態とする場合には、把手９を用いてスロープ板１１Ｃを引き出し口１８から引き出すことにより、図１１に示すように、該スロープ板１１Ｃを、収納筐体１９の上面前縁から下方傾斜させた状態で、低位側床面ｆ２　と高位側床面ｆ１　との間に差し渡すことができる。この時、上述したように、案内路２４，２４によって前後方向に案内される転動部材２６，２６の転動作用を介して、スロープ板１１Ｃの進退時における摩擦抵抗が軽減されるので、小さい力で容易かつ正確にスロープ板１１Ｃの引き出し操作を行うことができる。また、スロープ板１１Ｃは、位置決め手段で引き出し量が規定されていることにより、引き出し口１８からの引き出し過ぎによる脱落を危惧する必要がない。尚、この引き出し状態からスロープ板１１Ｃを水平にして、収納筐体１９の奥方に向けて押し込むことにより、図９に示すように収納筐体１９内に容易に収納することができる。
【００４２】
これにより、従来のようにスロープｃ（図１２参照）の不使用時における保管場所を別途確保しておく必要がなく、運搬作業も必要ないため、取扱い性に優れたものとなる。また、スロープ板１１Ｃは、傾斜角度が可変であるため、異なる高さの段差ｈに対応可能な汎用性があり、標準品として受注前に大量生産することができるので価格の低廉化が可能であり、さらに受注時に在庫品を即座に納品し得るので、短期納品が可能となる。
【００４３】
尚、上記第三実施例では、スロープ板１１Ｃの下面に転動部材２６，２６を配設するとともに、収納筐体１９内に該転動部材２６，２６を前後方向に案内する案内路２４，２４を設けているが、該転動部材２６，２６及び案内路２４，２４を設けることなく、スロープ装置１Ｃを構成することも可能である。この場合には、スロープ板１１Ｃの摺動抵抗が増大するが、進退操作が不能となるものではない。また、実施例では、スロープ板１１Ｃの位置決め手段を、案内路２４，２４の前端近傍部に配設された、転動部材２６，２６に前側から当接するストッパー片２７，２７としたが、これ以外にスロープ板１１Ｃの後部と、収納筐体１９の前部とに係止片を対向させて配設したり、或いはスロープ板１１Ｃと収納筐体１９とを繋ぐ所定長さの可撓ワイヤ等によって位置決め手段を構成することも可能である。
【００４４】
【発明の効果】
本発明は、上述のように、段差を有する床面の、その高位側床面に形成された凹陥溝に、後縁を支点として起伏可能に設けられ、かつ高位側床面と略面一となる伏臥状態で凹陥溝を覆う蓋板と、該蓋板の前縁に回動可能に枢結されて、蓋板の下面側に回動させて折り畳んだ状態で凹陥溝内に収納される収納位置と、蓋板の前縁から下方傾斜した状態で低位側床面に差し渡される展開位置とに変換されるスロープ板とを備えてなるスロープ装置であるから（請求項１）、不使用時にはスロープ板を折り畳んで凹陥溝内に収納しておくことができる一方、使用時にはスロープ板を展開させて蓋板の前縁から低位側床面に差し渡すことにより、スロープ板を低位側床面と高位側床面との間に傾斜状態で配設することができる。これにより、従来のように不使用時における保管場所を別途確保しておく必要がなく、運搬作業も必要ないため、取扱い性に優れたものとなる。また、不使用時にはスロープ板を高位側側床面と略面一となる蓋板の下面に折り畳んだ状態で収納することができるので、高位側床面上の通行に支障が生じることがない。
【００４５】
また、スロープ板は、蓋板の前縁に回動可能に枢結されていることにより、傾斜角度が可変であるため、異なる高さの段差に対応可能な汎用性がある。これにより、標準品として受注前に大量生産することができるので価格の低廉化が可能であり、さらに受注時に在庫品を即座に納品し得るので、短期納品が可能となる。
【００４６】
また、前記構成にあって、高位側床面に埋設され、その内面を凹陥溝とする矩形状の受枠の、その後部内側縁に蓋板の後縁を枢結するとともに、該蓋板の前縁にスロープ板を枢結して、該スロープ板を、蓋板の下面側に回動させて折り畳んだ状態で凹陥溝内に収納される収納位置と、蓋板の前縁から下方傾斜した状態で低位側床面に差し渡される展開位置とに変換可能に設けることにより（請求項２）、受枠を高位側床面に埋設することによって、スロープ装置の設置作業が略完了するので施工を簡単に行うことができる。
【００４７】
さらに、前記構成にあって、蓋板の下面側に回動させたスロープ板の、その回動位置を保持する保持手段を具備させれば（請求項３）、該保持手段によって、蓋板の下面側に回動させたスロープ板を、その回動位置に保持させることにより、蓋板の前縁に回動可能に枢結されたスロープ板が、蓋板の起伏操作時に揺動しないため、蓋板の起伏操作を容易に行うことが可能となる。
【００４８】
また、上記保持手段を、スロープ板の下面と蓋板の下面の、その何れか一方に配設される磁石と、他方に配設されて該磁石に吸着される磁性体とによって構成すれば（請求項４）、磁石の吸着作用を介してスロープ板を蓋板の下面に保持させることにより、その保持操作及び離脱操作をワンタッチで簡単に行うことができる。
【００４９】
また、本発明は、段差を有する床面の、その高位側床面に形成された凹陥溝の前縁に回動可能に枢結されて、高位側床面と略面一となる状態で凹陥溝内に収納される収納位置と、凹陥溝の前縁から下方傾斜した状態で低位側床面に差し渡される展開位置とに変換されるスロープ板を備えてなるスロープ装置であるから（請求項５）、不使用時にはスロープ板を凹陥溝内に収納しておくことができる一方、使用時にはスロープ板を展開させて凹陥溝の前縁から低位側床面に差し渡すことにより、スロープ板を低位側床面と高位側床面との間に傾斜状態で配設することができる。これにより、従来のように不使用時における保管場所を別途確保しておく必要がなく、運搬作業も必要ないため、取扱い性に優れたものとなる。また、不使用時にはスロープ板を高位側床面と略面一となる状態で凹陥溝内に収納することができるので、高位側床面の通行に支障が生じることがない。
【００５０】
また、スロープ板は、凹陥溝の前縁との枢結により、傾斜角度が可変であるため、異なる高さの段差に対応可能な汎用性がある。これにより、標準品として受注前に大量生産することができるので価格の低廉化が可能であり、さらに受注時に在庫品を即座に納品し得るので、短期納品が可能となる。
【００５１】
また、前記構成にあって、高位側床面に埋設され、その内面を凹陥溝とする矩形状の受枠の、その前縁にスロープ板を回動可能に枢結して、該スロープ板を、高位側床面と略面一となる状態で凹陥溝内に収納される収納位置と、受枠の前縁から下方傾斜した状態で低位側床面に差し渡される展開位置とに変換可能に設けることにより（請求項６）、受枠を高位側床面に埋設することによって、スロープ装置の設置作業が略完了するので施工を簡単に行うことができる。
【００５２】
さらに、前記構成にあって、少なくとも凹陥溝の後縁と、収納位置で該後縁に対向するスロープ板の先端部に、緩勾配で上方傾斜する傾斜面を形成することにより（請求項７）、所定の厚みを有するスロープ板を形成した場合に、スロープ板の先端部と凹陥溝の後縁とに生じる段差を解消することができる。
【００５３】
また、本発明は、段差を有する床面の、その高位側床面に、上面が高位側床面と略面一となる状態で配設され、低位側床面に臨む引き出し口を前面に備えた収納筐体と、該収納筐体内に進退可能に収納され、かつ引き出し口から引き出されて、収納筐体の上面前縁から下方傾斜した状態で低位側床面に差し渡されるスロープ板と、該スロープ板の引き出し量を規定して脱落を防止する位置決め手段とを備えてなるスロープ装置であるから（請求項８）、不使用時にはスロープ板を収納筐体内に収納しておくことができる一方、使用時にはスロープ板を引き出し口から引き出して、収納筐体の上面前縁から下方傾斜した状態で低位側床面に差し渡すことにより、低位側床面と高位側床面との間に傾斜状態で配設することができる。これにより、従来のように不使用時における保管場所を別途確保しておく必要がなく、運搬作業も必要ないため、取扱い性に優れたものとなる。また、スロープ板は、位置決め手段で引き出し量が規定されていることにより、引き出し口からの引き出し時に引き出し過ぎによる脱落を危惧する必要がない。さらに、不使用時にスロープ板を収納する収納筐体は、上面が高位側床面と略面一となる状態で配設されていることにより、高位側床面上の通行に支障が生じることがない。また、収納筐体を高位側床面に埋設することにより、スロープ装置の設置作業が略完了するので施工を簡単に行うことができる。
【００５４】
上記構成にあって、スロープ板の下面に転動部材を配設するとともに、収納筐体内に該転動部材を前後方向に案内する案内路を設けることにより（請求項９）、スロープ板の引き出し及び収納時に、案内路によって前後方向に案内される転動部材の転動作用を介して、スロープ板の進退時における摩擦抵抗が軽減され、小さい力で容易かつ正確にスロープ板の進退操作を行うことができる。
【００５５】
さらに、上記構成にあって、位置決め手段を、案内路の前端近傍部に配設されて、転動部材に前側から当接するストッパー片としたから（請求項１０）、スロープ板の引き出し時に、該スロープ板を転動部材がストッパー片に当接するまで引き出すことにより、その引き出し量が規定され、かつ転動部材の前側にストッパー片が当接することによって、スロープ板の脱落を防止することができる。
【図面の簡単な説明】
【図１】第一実施例にかかるスロープ装置の施工状態を示す側断面図である。
【図２】同上のスロープ装置の一部切欠平面図である。
【図３】要部の拡大側断面図である。
【図４】スロープ板が展開位置に変換された状態を示す同上のスロープ装置の側断面図である。
【図５】蓋板と保持手段の作用説明図である。
【図６】第二実施例にかかるスロープ装置の施工状態を示す側断面図である。
【図７】同上のスロープ装置の一部切欠平面図である。
【図８】スロープ板が展開位置に変換された状態を示す同上のスロープ装置の側断面図である。
【図９】第三実施例にかかるスロープ装置の施工状態を示す側断面図である。
【図１０】同上のスロープ装置の一部切欠平面図である。
【図１１】スロープ板が引き出された状態を示す同上のスロープ装置の側断面図である。
【図１２】従来構成のスロープの側面図である。
【符号の説明】
１Ａ，１Ｂ，１Ｃ　スロープ装置
２Ａ，２Ｂ　受枠
３　凹陥溝
６　蓋板
１１Ａ，１１Ｂ，１１Ｃ　スロープ板
１３　磁石（保持手段）
１４　磁性体（保持手段）
１６　傾斜面
１７　傾斜面
１８　引き出し口
１９　収納筐体
２４　案内路
２６　転動部材
２７　ストッパー片（位置決め手段）
ｆ１　高位側床面
ｆ２　低位側床面
ｈ　段差
【図１】
2004076299.tif 000003
【図２】
2004076299.tif 000004
【図３】
2004076299.tif 000005
【図４】
2004076299.tif 000006
【図５】
2004076299.tif 000007
【図６】
2004076299.tif 000008
【図７】
2004076299.tif 000009
【図８】
2004076299.tif 000010
【図９】
2004076299.tif 000011
【図１０】
2004076299.tif 000012
【図１１】
2004076299.tif 000013
【図１２】
2004076299.tif 000014